(57)【特許請求の範囲】
【請求項１】
電極組立体と、第１面を定義するキャッププレートを含むキャップアセンブリとを有するバッテリーセルと、
第１面、第２面と、その間の側面を有する回路基板と、前記回路基板上に装着される少なくとも１つの保護装置とを有し、前記回路基板の第１面がキャッププレートの第１面に対向するように、バッテリーセル上に装着され、少なくとも１つの出力端子を含む保護回路モジュールと、
前記保護回路モジュールの回路基板の前記第１面に設けられた少なくとも１つの出力端子に結合され、前記回路基板の第１面の反対側の面である前記第２面側に延ばされ、少なくとも前記回路基板の第１面および前記側面を巻回する少なくとも１本のワイヤと、
を含む、バッテリーアセンブリ。
【請求項２】
少なくとも１本のワイヤの端部が、前記回路基板の第１面を経て、前記出力端子に結合される、請求項１に記載のバッテリーアセンブリ。
【請求項３】
少なくとも１本のワイヤが、前記側面と前記回路基板の第１面とに沿って配置され、少なくとも１つの出力端子に結合される、請求項１または２のいずれかに記載のバッテリーアセンブリ。
【請求項４】
少なくとも１つの出力端子は、複数の出力端子を含み、
少なくとも１本のワイヤは、複数の出力端子と各々結合される複数のワイヤを含む、請求項１〜３のいずれか１項に記載のバッテリーアセンブリ。
【請求項５】
前記回路基板の第１面に位置する複数のワイヤ間に、前記回路基板の第１面に設けられた少なくとも１つの隔壁が配される、請求項４に記載のバッテリーアセンブリ。
【請求項６】
前記保護回路モジュールの回路基板は、少なくとも１本のワイヤが切開領域内で回路基板の側面に隣接して位置するように、前記回路基板の側面に切開領域が形成される、請求項１〜５のいずれか１項に記載のバッテリーアセンブリ。
【請求項７】
前記切開領域は、少なくとも１本のワイヤが回路基板側面の外側に延びず、前記切開領域内に位置する大きさを有する、請求項６に記載のバッテリーアセンブリ。
【請求項８】
前記保護回路モジュールの回路基板は、第１及び第２端部を含み、
前記出力端子及び前記切開領域は、前記回路基板の第１端部側に位置する、請求項６または７のいずれかに記載のバッテリーアセンブリ。
【請求項９】
前記保護回路モジュールの前記回路基板の第１面と前記バッテリーセルの第１面との間に、少なくとも１つの補強ブロックが介在される、請求項１〜８のいずれか１項に記載のバッテリーアセンブリ。
【請求項１０】
少なくとも１つの補強ブロックは、少なくとも１本のワイヤが前記保護回路モジュールの前記回路基板の第１面を経て出力端子に接続される位置に設けられる第１補強ブロックを含む、請求項９に記載のバッテリーアセンブリ。
【請求項１１】
前記バッテリーセルの第１面と、前記保護回路モジュールの前記回路基板の第１面との間に介在される第２補強ブロックをさらに含み、
前記保護回路モジュールの回路基板は、第１及び第２端部を含み、前記第１補強ブロックは第１端部側に位置し、前記第２補強ブロックは第２端部側に位置する、請求項１０に記載のバッテリーアセンブリ。
【請求項１２】
少なくとも１つの補強ブロックには、前記回路基板の側面から出力端子に向かって延びる少なくとも１本のワイヤを収容する少なくとも１つの収容溝が形成される、請求項９〜１１のいずれか１項に記載のバッテリーアセンブリ。
【請求項１３】
前記第１補強ブロックに形成される各複数の収容溝は、前記回路基板の側面から出力端子に向かって延びる各複数のワイヤを収容する、請求項１２に記載のバッテリーアセンブリ。
【請求項１４】
前記保護回路モジュールの回路基板は、第１及び第２側面を含み、少なくとも１本のワイヤは、第１及び第２側面と、回路基板の第１及び第２面とに延びた請求項９〜１３のいずれか１項に記載のバッテリーアセンブリ。
【請求項１５】
少なくとも１つの補強ブロックは、少なくとも１本のワイヤが少なくとも１つの出力端子に接続する前記回路基板の第１面と、前記バッテリーセルの第１面との間に介在するよう設けられ、さらに前記回路基板を巻回する少なくとも１本のワイヤを収容する大きさである少なくとも１つの収容溝が形成される、請求項１４に記載のバッテリーアセンブリ。
【請求項１６】
少なくとも１本のワイヤが前記回路基板の第１面を経て少なくとも１つの出力端子に接続する部分の前記回路基板の厚さが、少なくとも１本のワイヤの厚さを収容するよう、前記回路基板の第１面の他の部分の前記回路基板の厚さより小さい、請求項１〜１５のいずれか１項に記載のバッテリーアセンブリ。
【請求項１７】
保護回路モジュールの回路基板は、第１及び第２側面を含み、少なくとも１本のワイヤは回路基板を巻回するように、回路基板の第１及び第２側面と、回路基板の第１及び第２面とに延びる、請求項１〜１６のいずれか１項に記載のバッテリーアセンブリ。
【請求項１８】
少なくとも１つの出力端子と接続する少なくとも１本のワイヤの接続部分は、結合強度を向上させるようにコーティング材でコーティングされる、請求項１〜１７のいずれか１項に記載のバッテリーアセンブリ。
【請求項１９】
少なくとも１つの出力端子は、バッテリーセルの正極端子に電気的に連結される第１出力端子と、バッテリーセルの負極端子に電気的に連結される第２出力端子とを含む、請求項１〜１８のいずれか１項に記載のバッテリーアセンブリ。
【発明の詳細な説明】
【技術分野】
【０００１】
本発明は、ＰＣＭアセンブリに対するワイヤの接続が容易な二次電池パックに関する。
【背景技術】
【０００２】
通常、二次電池は、充電が不可能な一次電池とは違って、充電及び放電が可能な電池である。二次電池は、ノート型パソコンや、携帯電話のようなモバイル機器や、電気自動車や、ハイブリッド電気自動車や、電気自転車や、無停電電源供給装置（ｕｎｉｎｔｅｒｒｕｐｔｉｂｌｅ  ｐｏｗｅｒ  ｓｕｐｐｌｙ）などのエネルギー源として使われる。代表的な二次電池としては、リチウム二次電池がある。
【０００３】
二次電池は、外形によって、円筒状、角状、及びポーチ状に分類される。二次電池は、電池の安全性を確保するために、保護回路モジュール（Ｐｒｏｔｅｃｔｉｏｎ  ｃｉｒｃｕｉｔ  ｍｏｄｕｌｅ、ＰＣＭ）が電池セルに電気的に接続されている。
【０００４】
保護回路モジュールは、印刷回路基板（Ｐｒｉｎｔｅｄ  ｃｉｒｃｕｉｔ  ｓｕｂｓｔｒａｔｅ、ＰＣＢ）上にＦＥＴ（Ｆｉｅｌｄ  ｅｆｆｅｃｔ  ｔｒａｎｓｉｓｔｏｒ）のような素子が実装されており、外部回路ボードに連結される複数の出力端子を含む。保護回路モジュールの出力端子には、外部回路ボードに電気的に接続されたワイヤの端部が溶接される。
【先行技術文献】
【特許文献】
【０００５】
【特許文献１】特開２００５−１２９２６０号公報
【特許文献２】特開２００２−３５９４４７号公報
【特許文献３】大韓民国特許公開第２００９−００９５９５４号
【発明の概要】
【発明が解決しようとする課題】
【０００６】
この際、ワイヤの端部が保護回路モジュールの出力端子から分離されやすいために、接続部分は、分離されないように十分な引張強度を有さねばならない。
【０００７】
本発明の課題は、保護回路モジュールの出力端子に対するワイヤの接続がしっかりなされた二次電池パックを提供することである。
【課題を解決するための手段】
【０００８】
本発明の望ましい一実施例による二次電池パックは、電極組立体と、第１面を定義するキャッププレートを含むキャップアセンブリと、を有するバッテリーセル；第１面と、第２面と、その間の側面を有する回路基板と、前記回路基板上に装着される少なくとも１つの保護装置を有し、前記回路基板の第１面がキャッププレートの第１面に近くに位置するように、バッテリーセル上に装着され、少なくとも１つの出力端子を含む保護回路モジュール；前記保護回路モジュールの少なくとも１つの出力端子に結合され、回路基板の第１面に近くに位置する少なくとも１本のワイヤ；を含む。
【０００９】
一実施例において、前記回路基板の第１面が底面であり、少なくとも１本のワイヤの端部が回路基板の底面を経て出力端子に結合される。
【００１０】
一実施例において、少なくとも１本のワイヤは、前記側面と第１面とに近くに位置するように少なくとも１つの出力端子に結合される。
【００１１】
一実施例において、複数のワイヤは、回路基板の第１面に近くに位置し、少なくとも１つの隔壁が隣接したワイヤ間に配される。
【００１２】
一実施例において、前記保護回路モジュールの回路基板は前記側面の縁部を定義し、少なくとも１本のワイヤが溝内で回路基板の側面に隣接して位置するように、前記縁部に溝が形成される。
【００１３】
他の実施例において、前記溝は、少なくとも１本のワイヤが回路基板側面の縁部外側の側に延びず、溝内に位置する大きさを有する。
【００１４】
一実施例において、少なくとも１つの補強ブロックは、保護回路モジュールの回路基板とバッテリーセルの第１面との間に介在される。
【００１５】
一実施例において、少なくとも１つのブロックは、少なくとも１本のワイヤが保護回路モジュールの回路基板の第１面を経て出力端子に接近する隣接した位置で保護回路モジュールの回路基板に結合される第１補強ブロックを含む。
【００１６】
一実施例において、バッテリーセルの第１面と、保護回路モジュールの回路基板の第１面との間に介在される第２補強ブロックをさらに含み、保護回路モジュールの回路基板は、第１及び第２端部を定義し、第１補強ブロックは、第１端部と隣接して位置し、第２補強ブロックは、第２端部と隣接して位置する。
【００１７】
一実施例において、少なくとも１つの補強ブロックには、少なくとも１本のワイヤが回路基板の側面から出力端子に向かって延びるように、少なくとも１つの収容溝が形成される。
【００１８】
一実施例において、少なくとも１つの収容溝と、少なくとも１本のワイヤは、複数の収容溝と、複数のワイヤとを含む。
【００１９】
一実施例において、前記ワイヤは、回路基板を巻回する。
【００２０】
一実施例において、少なくとも１つの出力端子と結合される少なくとも１本のワイヤの部分は、少なくとも１本のワイヤと少なくとも１つの出力端子との間に結合強度を結合させるように、コーティング材でコーティングされる。
【００２１】
一実施例において、少なくとも１つの出力端子は、バッテリーセルの正極端子に電気的に連結される第１出力端子と、バッテリーセルの負極端子に電気的に連結される第２出力端子とに連結される。
【発明の効果】
【００２２】
以上、本発明の二次電池パックは、印刷回路基板の出力端子に電気的に接続される複数のワイヤが印刷回路基板の少なくとも一部を巻回しつつ設けられているので、ワイヤの引張強度が向上する。また、ワイヤの引張強度をさらに増大させるために、出力端子に対してワイヤが接続される部分に対してシリコンのようなコーティング材をさらにコーティングしうる。
【図面の簡単な説明】
【００２３】
【図１】本発明の一実施例による二次電池パックを示す分離斜視図である。
【図２】図１の二次電池パックが結合されたところを示す斜視図である。
【図３】図２の二次電池パックの平面図である。
【図４】本発明の他の実施例による二次電池パックを切開して示す断面図である。
【図５】本発明のさらに他の実施例による二次電池パックを切開して示す断面図である。
【図６】本発明のさらに他の実施例による二次電池パックを切開して示す断面図である。
【図７】本発明のさらに他の実施例による二次電池パックを切開して示す斜視図である。
【発明を実施するための形態】
【００２４】
本発明は、多様な変換を加え、色々な実施例を有することができるところ、特定の実施例を図面に例示し、詳細な説明に詳しく説明する。しかし、これは本発明を特定の実施形態で限定しようとするものではなく、本発明の思想及び技術範囲に含まれる、あらゆる変換、均等物ないし代替物を含むと理解されねばならない。本発明を説明するに当たって、関連した公知技術についての具体的な説明が、本発明の要旨を不明にすると判断される場合、その詳細な説明を省略する。
【００２５】
第１、第２などの用語は、多様な構成要素を説明するのに使われるが、構成要素は、用語によって限定されてはならない。用語は、１つの構成要素を他の構成要素から区別する目的のみで使われる。
【００２６】
本願で用いた用語は、単に特定の実施例を説明するために使われたものであり、本発明を限定しようとする意図ではない。単数の表現は、文脈上明白に異なる意味で使われていない限り、複数の表現を含む。本願において、“含む”または“有する”などの用語は、明細書上に記載の特徴、数字、段階、動作、構成要素、部品またはこれらを組合わせが存在することを示すものであり、１つまたはそれ以上の他の特徴や、数字、段階、動作、構成要素、部品またはこれらの組合わせの存在、または付加可能性をあらかじめ排除しないことと理解されねばならない。
【００２７】
以下、添付図面に基づいて、本発明による望ましい実施例を詳細に説明する。
図１は、本発明の一実施例による二次電池パック１００を示す分離斜視図であり、図２は、図１の二次電池パック１００が結合されたところを示す斜視図であり、図３は、図２の平面図である。
【００２８】
図１ないし図３を参照すれば、前記二次電池パック１００は、キャップアセンブリ１２０を有する電池セル１３０と、前記電池セル１３０に電気的に連結される保護回路モジュール１４０と、を含む。
【００２９】
前記キャップアセンブリ１２０は、缶１１０の上端部に結合されるキャッププレート１２１と、前記キャッププレート１２１の中央に位置する電極端子１２２と、電池セル１３０の外側に位置するリードプレート１２３と、を含む。
【００３０】
前記缶１１０の内部には、正極板、セパレータ、及び負極板がジェリロール状（ｊｅｌｌｙ−ｒｏｌｌ  ｔｙｐｅ）に巻かれた電極部（図示せず）が収容される。前記キャッププレート１２１は、前記缶１１０に溶接されている。前記電極端子１２２は、絶縁プレート１２４を介して前記キャッププレート１２１に絶縁されるように結合されている。前記電極端子１２２は、第１極性を有する。前記リードプレート１２３は、前記缶１１０やキャッププレート１２１の外面一部に電気的に連結されている。前記リードプレート１２３は、前記第１極性に対して極性の異なる第２極性を有する。例えば、前記電極端子１２２が負極の役割を行い、電気的に互い連結された缶１１０、キャッププレート１２１、及びリードプレート１２３は、正極の役割を行う。
【００３１】
前記保護回路モジュール１４０は、前記電池セル１３０の上部に設けられている。前記保護回路モジュール１４０は、印刷回路基板１４１と、前記印刷回路基板１４１上に実装された複数の電子素子１４２と、安全素子の役割を行うＰＴＣ素子１４３を含む。
【００３２】
前記印刷回路基板１４１は、前記キャッププレート１２１上に装着されるほどの大きさである。前記印刷回路基板１４１は、少なくとも１層以上の回路パターン層が積層された回路基板である。前記電子素子１４２は、ＩＣチップ（Ｉｎｔｅｇｒａｔｅｄ  ｃｉｒｃｕｉｔ  ｃｈｉｐ）や、ＦＥＴや、抵抗器（Ｒｅｓｉｓｔｏｒ）や、キャパシタ（Ｃａｐａｃｉｔｏｒ）などを含む。
【００３３】
前記ＰＴＣ素子１４３は、第１接続リード１４４と、第２接続リード１４５と、前記第１接続リード１４４及び第２接続リード１４５の間に介在されるＰＴＣ本体１４６を含む。前記第１接続リード１４４は、前記電極端子１２２に電気的に連結され、前記第２接続リード１４５は、保護回路モジュール１４０の第１端子１４７に電気的に連結され、前記ＰＴＣ本体１４６は、前記第１接続リード１４４と第２接続リード１４５とに電気的に連結されている。前記リードプレート１２３は、一端部１２３ａが折り曲げられ、前記一端部１２３ａは、前記保護回路モジュール１４０の第２端子１４８に電気的に連結されている。
【００３４】
前記保護回路モジュール１４０の複数の出力端子１５０に対して接続されると共に、外部回路ボードに連結される複数のワイヤ２１０は、印刷回路基板１４１の少なくとも一部を巻回しつつ設けられている。
【００３５】
さらに詳細には、前記電池セル１３０と対向する印刷回路基板１４１の一面１４１ａには、第１出力端子１５１、第２出力端子１５２、及び第３出力端子１５３が形成されている。前記第１出力端子１５１は正極の役割を行い、第２出力端子１５２は負極役割を行い、第３出力端子１５３は電池セル１３０の電流状態、例えば、抵抗値などを測定するための役割を行う。
【００３６】
前記複数のワイヤ２１０は、前記第１出力端子１５１に接続される第１ワイヤ２１１、前記第２出力端子１５２に接続される第２ワイヤ２１２、及び第３出力端子１５３に接続される第３ワイヤ２１３を含む。
【００３７】
前記第１ワイヤ２１１、第２ワイヤ２１２、及び第３ワイヤ２１３の各一端は、それぞれ前記第１出力端子１５１、第２出力端子１５２、及び第３出力端子１５３に溶接され、各他端はコネクタ２２０に連結されている。前記コネクタ２２０は、外部回路ボードに接続される。
【００３８】
前記複数のワイヤ２１０は、前記電池セル１３０と対向する印刷回路基板１４１の一面１４１ａで複数の出力端子１５０に接続され、前記印刷回路基板１４１の側壁１４１ｃを過ぎて、前記印刷回路基板１４１の他面１４１ｂ側に引き出されている。前記印刷回路基板１４１の他面１４１ｂは、前記電池セル１３０と対向する印刷回路基板１４１の一面１４１ａに対して反対となる面である。
【００３９】
前記複数のワイヤ２１０が接続される複数の出力端子１５０には、ワイヤ２１０の引張強度をさらに向上させうるように、シリコンのようなコーティング材を用いてコーティングしうる。
【００４０】
前記複数のワイヤ２１０は、前記印刷回路基板１４１の一部を巻回しつつ、前記印刷回路基板１４１の他面１４１ｂの上方に延びて設けられている。したがって、従来の電池セルと対向する印刷回路基板の一面に対して反対となる面に複数の出力端子を配列し、前記出力端子に対して複数のワイヤを接続する構造と比較する時、本実施例による複数のワイヤ２１０は、前記印刷回路基板１４１の一部を巻回しているので、複数のワイヤ２１０の引張強度を向上させうる。
【００４１】
前記複数のワイヤ２１０が印刷回路基板１４１の側壁１４１ｃに位置するので、前記複数のワイヤ２１０の厚さほどの体積を占める。したがって、二次電池パック１００には、前記複数のワイヤ２１０が設けられる空間がさらに必要である。
【００４２】
また、複数のワイヤ２１０が印刷回路基板１４１の設けられた領域の外側に設けられる場合、二次電池パック１００の組立時に二次電池パック１００の他の部品と干渉が発生し、その結果、ワイヤ２１０が損傷されうる。
【００４３】
前記ワイヤ２１０の損傷を防止するために、前記複数のワイヤ２１０は、前記印刷回路基板１４１が設けられた領域内に位置している。すなわち、前記印刷回路基板１４１は、一部が切開されている。前記複数のワイヤ２１０は、前記印刷回路基板１４１の切開された領域ＣＰ内に位置する。前記切開された領域（ＣＰ）の形状は、前記複数のワイヤ２１０が印刷回路基板１４１が設けられた領域内に位置できるならば、いずれか１つの形状に限定されるものではない。
【００４４】
前記複数の出力端子１５０に対して複数のワイヤ２１０が接続される部分は、電池セル１３０と保護回路モジュール１４０との間に位置するので、前記ワイヤ２１０が設けられる空間を確保するために、補強ブロック２３０が設けられる。
【００４５】
すなわち、前記補強ブロック２３０は、互いに対向して配された前記キャッププレート１２１の上面と印刷回路基板１４１の一面１４１ａとの間に位置している。前記補強ブロック２３０の一面は、両面テープのような接続部材１４９によって、前記印刷回路基板１４１の一面１４１ａに付着される。前記補強ブロック２３０の他面はキャッププレート１２１の上面に位置している。この際、前記補強ブロック２３０の大きさは、前記キャッププレート１２１の大きさより小さいことが望ましい。
【００４６】
前記補強ブロック２３０の厚さは、前記複数の出力端子１５０に対して複数のワイヤ２１０が接続される部分の厚さより大きい。したがって、前記複数の出力端子１５０に対して複数のワイヤ２１０が接続される部分は、前記キャッププレート１２１の上面と印刷回路基板１４１の一面１４１ａとの間に位置されうる。
本出願人の実験による複数のワイヤに対する引張強度の実験結果は、表１に示されたようである。
【００４７】
【表１】
0005417370.tif 000002
【００４８】
表１において、比較例は、従来のワイヤが印刷回路基板の一部を巻回せず、これと同時に、シリコンのようなコーティング材の後処理工程がない場合であり、実施例は、本発明の一実施例によるワイヤが印刷回路基板の一部を巻回した場合である。
【００４９】
表１を参照すれば、比較例は、１０本のワイヤの平均引張強度は１．０９９ＫｇＦであり、最大引張強度は、１．２５ＫｇＦであり、最小引張強度は０．９８ＫｇＦである。一方、実施例は、１０本のワイヤの平均引張強度は１．７０５ＫｇＦであり、最大引張強度は１．８４ＫｇＦであり、最小引張強度は１．５９ＫｇＦである。このように、実施例は、コーティング材の後処理工程なしにも、比較例の場合より平均引張強度は５０％以上増加することが分かる。
【００５０】
図４は、本発明の他の実施例による二次電池パックを示す断面図である。
以下、図示された図面と同じ参照番号は同じ機能を行う同じ部材を示し、あらゆる実施例では、各実施例の特徴を中心に説明する。
【００５１】
図面を参照すれば、複数のワイヤ２１０は、電池セル１３０と対向する印刷回路基板１４１の一面１４１ａで複数の出力端子１５０に接続され、前記印刷回路基板１４１の側壁１４１ｃを過ぎて、前記印刷回路基板１４１の他面１４１ｂ側に引出されている。このように、前記複数のワイヤ２１０は、前記印刷回路基板１４１の一部を巻回しつつ、前記印刷回路基板１４１の他面１４１ｂの上方に延びて設けられている。
【００５２】
前記キャッププレート１２１の上面と印刷回路基板１４１の一面１４１ａとの間には、複数の補強ブロック４３０が設けられている。前記補強ブロック４３０は、第１補強ブロック４３１と、第２補強ブロック４３２を含むが、少なくとも１つ以上設けられるならば、個数に限定されるものではない。
【００５３】
第１補強ブロック４３１は、前記複数の出力端子１５０に対して複数のワイヤ２１０が接続される部分に位置している。この際、前記第１補強ブロック４３１には、前記接続された部分を収容するために収容溝４３３が形成されている。さらに詳細には、前記収容溝４３３は、前記印刷回路基板１４１の一面１４１ａと対向する第１補強ブロック４３１の表面から所定深さに形成され、前記接続された部分を収容するための大きさを有する。前記収容溝４３３は、第１補強ブロック４３１の中央で横断面が半円状に形成されている。
【００５４】
これにより、第１補強ブロック４３１は、前記キャッププレート１２１の上面と印刷回路基板１４１の一面１４１ａとの間の所定間隔を保持し、これと同時に、前記複数の出力端子１５０に対して複数のワイヤ２１０が接続される部分を収容することができる。前記第２補強ブロック４３２は、第１補強ブロック４３１が設けられた部分の反対側に位置するが、その位置は、限定的なものではない。
【００５５】
前記第１補強ブロック４３１と第２補強ブロック４３２は、前記印刷回路基板１４１の一面１４１ａに対して両面テープのような接続部材１４９によって付着されているが、これと反対に、前記キャッププレート１２１の上面に付着されるなど、いずれか１つに限定されるものではない。
【００５６】
図５は、本発明のさらに他の実施例による二次電池パックを示す断面図である。
図面を参照すれば、複数のワイヤ２１０は、電池セル１３０と対向する印刷回路基板１４１の一面１４１ａで複数の出力端子１５０に接続され、前記印刷回路基板１４１の側壁１４１ｃを過ぎて前記印刷回路基板１４１の他面１４１ｂ側に引出されている。このように、前記複数のワイヤ２１０は、前記印刷回路基板１４１の一部を巻回しつつ、前記印刷回路基板１４１の他面１４１ｂの上方に延びて設けられている。
【００５７】
この際、前記キャッププレート１２１の上面と印刷回路基板１４１の一面１４１ａとの間には、複数の補強ブロック５３０が設けられている。前記補強ブロック５３０は、第１補強ブロック５３１と第２補強ブロック５３２とを含む。
【００５８】
第１補強ブロック５３１は、前記複数の出力端子１５０に対して複数のワイヤ２１０が接続される部分に位置している。この際、前記第１補強ブロック５３１は、前記接続された部分を収容するために複数の収容溝５３３を含む。さらに詳細には、前記収容溝５３３は、前記印刷回路基板１４１の一面１４１ａと対向する第１補強ブロック５３１の表面から所定深さに形成され、前記接続された部分を収容するための大きさを有する。
【００５９】
図４の実施例とは違って、前記収容溝５３３は、第１出力端子１５１に接続される第１ワイヤ２１１が収容される第１収容溝５３４と、第２出力端子１５２に接続される第２ワイヤ２１２が収容される第２収容溝５３５と、第３出力端子１５３に接続される第３ワイヤ２１３が収容される第３収容溝５３６を含む。このように、前記複数の収容溝５３３の数は、複数のワイヤ２１０の数と対応して形成されている。
【００６０】
前記収容溝５３３は、前記第１補強ブロック５３１の中央で横断面が半円状に複数個配列されるか、前記第１補強ブロック５３１の一縁部から他縁部にストライプ状の溝が形成されるか、前記溝が互いに離隔して複数個配列されるならば、いずれか１つに限定されるものではない。
【００６１】
これにより、第１補強ブロック５３１は、前記キャッププレート１２１の上面と、印刷回路基板１４１の一面１４１ａとの間の所定間隔を保持し、これと同時に、前記複数の出力端子１５０に対して複数のワイヤ２１０が接続される部分をそれぞれの収容溝５３３に収容可能である。前記収容溝５３３は、互いに離隔して複数個配列されているので、複数の出力端子１５０に対して複数のワイヤ２１０が接続される部分をそれぞれの収容溝５３３に収容可能である。したがって、隣接するワイヤ２１０間の電気的ショートを防止しうる。前記第２補強ブロック５３２は、第１補強ブロック５３１が設けられた部分の反対側に位置するが、その位置は限定的なものではない。
【００６２】
図６は、本発明のさらに他の実施例による二次電池パックを示す断面図である。
図面を参照すれば、前記複数のワイヤ２１０は、電池セル１３０と対向する印刷回路基板６４１の一面６４１ａで複数の出力端子１５０に接続され、前記印刷回路基板６４１の側壁６４１ｃを過ぎて、前記印刷回路基板６４１の他面６４１ｂ側に引出されている。このように、前記複数のワイヤ２１０は、前記印刷回路基板６４１の一部を巻回しつつ、前記印刷回路基板６４１の他面６４１ｂの上方に延びて設けられている。
【００６３】
前記キャッププレート１２１の上面と印刷回路基板６４１の一面６４１ａとの間には、複数の補強ブロック６３０が設けられている。前記補強ブロック６３０は、複数のワイヤ２１０が前記複数の出力端子１５０に接続されるための空間を確保する。
【００６４】
この際、前記印刷回路基板６４１は、その厚さ方向に一部が切開されている。前記複数の出力端子１５０に対して複数のワイヤ２１０が接続される部分は、前記印刷回路基板６４１の切開された領域ＣＰ内に位置する。前記切開された領域ＣＰは、前記接続される部分が前記切開されていない印刷回路基板６４１の一面６４１ａから下方に突出しないほどの大きさを有する。これにより、補強ブロック６３０の設置厚さを最小化して、二次電池パックの大きさをさらに小型化し、二次電池パックの大きさが同一である場合、電池セル１３０の大きさを増大させて、電池の容量を増大させうる。
【００６５】
図７は、本発明のさらに他の実施例による二次電池パックを示す斜視図である。
図面を参照すれば、複数のワイヤ２１０は、電池セル１３０と対向する印刷回路基板１４１の一面１４１ａで複数の出力端子（図１の１５０参照）に接続されている。前記ワイヤ２１０は、少なくとも前記印刷回路基板１４１を１回以上巻回している。これにより、前記複数のワイヤ２１０は、前記印刷回路基板１４１の一面１４１ａと、その反対となる他面１４１ｂとにどちらにも接触している。
【００６６】
さらに、前記印刷回路基板１４１は、前記複数のワイヤ２１０が接する部分を一部切開している。前記複数のワイヤ２１０は、前記印刷回路基板１４１の切開された領域ＣＰ内に位置する。前記切開された領域ＣＰは、前記印刷回路基板１４１の一側から一部領域を切開するか、前記印刷回路基板１４１の両側から同時に切開できるなど、いずれか１つの形状に限定されるものではない。
【００６７】
また、本発明の各実施例に開示された切開された領域ＣＰ内には、複数のワイヤ２１０を区画できるように複数の隔壁７１０をさらに設けて複数のワイヤ２１０間の電気的ショートを防止しうる。
【００６８】
本発明は、図面に示された一実施例を参考に説明されたが、これは例示的なものに過ぎず、当業者ならば、これより多様な変形及び均等な他実施例が可能であるという点を理解できるであろう。よって、本発明の真の技術的保護範囲は、特許請求の範囲の技術的思想によって決まるべきである。
【符号の説明】
【００６９】
１００        二次電池パック
１１０        缶
１２０        キャップアセンブリ
１２１        キャッププレート
１３０        電池セル
１４０        保護回路モジュール
１４１        印刷回路基板
１４１ａ      一面
１４１ｂ      他面
１５０        出力端子
２１０        ワイヤ
２２０        コネクタ
２３０        補強ブロック
【図１】
0005417370.tif 000003
【図２】
0005417370.tif 000004
【図３】
0005417370.tif 000005
【図４】
0005417370.tif 000006
【図５】
0005417370.tif 000007
【図６】
0005417370.tif 000008
【図７】
0005417370.tif 000009